(57)【特許請求の範囲】
【請求項１】
先端に設けたブラシ部と、基端に設けた把持部と、これらの中間に設けたヨリ線状の線材部とを有し、内視鏡内の管路を洗滌する内視鏡用洗滌具において、
前記線材部を長手方向に進退可能に挿通し、前記内視鏡の管路開口部に対して固定する固定手段を有するハウジングを備え、このハウジングに前記線材部の回転を規制するガイド孔を設けたことを特徴とする内視鏡用洗滌具。
【発明の詳細な説明】
【０００１】
【発明の属する技術分野】
本発明は、内視鏡のチャンネル内壁を掃除するための内視鏡用洗滌具に関する。
【０００２】
【従来の技術】
内視鏡の挿入部内に設けられた管路（チャンネル）の内壁を洗滌するにあたり、従来は例えば実開昭５４−７５６１号公報に記載されているような、折り返したワイヤの間に多数の合成樹脂製の毛を挟み込み、ワイヤをねじって先端にブラシ部を形成した構造の洗滌用ブラシが使用されていた。
【０００３】
しかし、前記のような洗滌用ブラシでは、手元側からの進退操作、捩り操作等が先端まで伝わらず、内視鏡のチャンネル内壁をまんべんなく洗滌するのには手間がかかっていた。
【０００４】
この不具合を解決するものとして、実開昭６３−１５８３０５号公報に記載の考案がある。この考案の構成では、ブラシ部の長手方向への移動に伴って、ブラシが回転するようになっているので、内視鏡のチャンネル内壁をくまなく洗滌することが可能である。
【０００５】
【発明が解決しようとする課題】
しかしながら、前記実開昭６３−１５８３０５号公報に示されている内視鏡用洗滌具は、構造が複雑である故に、小径のチャンネルには採用できなかった。また、構造が複雑であるために製作にコストもかかるという問題点があった。
【０００６】
本発明は、これらの事情に鑑みてなされたもので、簡単な構造で、小径のチャンネル内壁においてもまんべんなく洗滌することが可能な内視鏡用洗滌具を提供することを目的としている。
【０００７】
【課題を解決するための手段】
本発明による内視鏡用洗滌具は、先端に設けたブラシ部と、基端に設けた把持部と、これらの中間に設けたヨリ線状の線材部とを有し、内視鏡内の管路を洗滌する洗滌具において、前記線材部を長手方向に進退可能に挿通し、前記内視鏡の管路開口部に対して固定する固定手段を有するハウジングを備え、このハウジングに前記線材部の回転を規制するガイド孔を設けたものである。
【０００８】
前記構成により、把持部での進退操作に伴って線材部がガイド孔を回転規制されながら通過することで、先端に設けたブラシ部が回転する。
【０００９】
【発明の実施の形態】
以下、図面を参照して本発明の実施の形態を説明する。
図１ないし図７は本発明の一実施形態に係り、図１は内視鏡の構成を示す平面図、図２は内視鏡用洗滌具の全体構成を示す斜視図、図３及び図４はブラシ部の構成及び形成手順を示す平面図、図５は洗滌具手元側のハウジングの構成を示す長手軸方向断面図、図６は図５のＡ−Ａ線断面図、図７は内視鏡用洗滌具を内視鏡のチャンネル内に挿通した使用状態を示す説明図である。
【００１０】
本実施形態の内視鏡用洗滌具は、例えば図１に示すような内視鏡に設けられたチャンネルの内壁を洗滌するものである。内視鏡１は、細長の挿入部２の基端側に操作部３が連結されて構成されている。挿入部２内には、先端部４から基端部のチャンネル開口部５まで連通したチャンネルチューブ６が延設されている。このチャンネルチューブ６を介して、挿入部２の先端部４より送水、吸引、あるいは処置具の挿脱等を行えるようになっている。なお前記チャンネル開口部５は、注射筒等が装着できるように、ルアーロック形状に構成されている。
【００１１】
図２に本実施形態の内視鏡用洗滌具７の構成を示す。内視鏡用洗滌具７は、手元側から把持部８、線材部９、ブラシ部１０で構成されている。線材部９の基端部には、内視鏡接続用のハウジング１１が、該ハウジング内に線材部９が貫通する形で設けられている。ハウジング１１のブラシ部１０側は、内視鏡１のチャンネル開口部５と対応するように、ネジ部を有するルアーロック形状に形成されており、ハウジング１１をチャンネル開口部５に確実に固定できるようになっている。
【００１２】
把持部８の中央部には、内部に貫通するヨリ線１２に対して回動可能にツマミ部１３が遊挿されている。ツマミ部１３の両端近傍には、ツマミ部１３の抜け止め用のストッパ１４がそれぞれヨリ線１２に対し固定されて設けられている。
【００１３】
ブラシ部１０は、図３及び図４に示すように従来例と同様の構成となっている。すなわち、図３のように折り返して並列の状態となった素線１５の間に多数のブラシ１６を挟み込み、図４のように素線１５を巻回してブラシ１６を固定することにより、ブラシ部１０が形成される。この巻回に伴い、並列状態の素線１５はヨリ線１２となり、把持部８まで続くことなる。
【００１４】
なお、ブラシ部１０は、チャンネル両端の開口部や内部に対応させて、外径の異なるブラシを線材部９上に複数設けるようにしても良いし、あるいは、チャンネルチューブ６のほぼ全長に渡ってブラシを設けても良い。これらの構成を用いれば、より確実にチャンネルチューブ６の全長に渡って洗滌することが可能となる。
【００１５】
また、ブラシ部１０において毛先が縮れたブラシを用いても良い。この場合、洗滌時に汚物等が毛先の縮れた部分に入るため、ブラシによって落とした汚物等を回収することができる。
【００１６】
図５はヨリ線１２が貫通している状態のハウジング１１の構造を示した断面図である。ハウジング１１には、長手方向内周面にガイド孔１７が設けられている。このガイド孔１７は、図６（図５のＡ−Ａ断面）に示すように、断面が円形状でなく異形となったヨリ線１２を進退自在に挿通しかつ該ヨリ線１２の回転を規制するよう長円形状に形成されており、ガイド孔１７のガイドによってヨリ線１２が回転しながら長手方向に移動可能になっている。
【００１７】
このように構成された内視鏡用洗滌具７の使用時の作用を説明する。
【００１８】
内視鏡１のチャンネルチューブ６の内壁を内視鏡用洗滌具７によって洗滌する際には、使用者は、まず内視鏡用洗滌具７のブラシ部１０をチャンネル開口部５からチャンネルチューブ６内に挿入し、ハウジング１１をチャンネル開口部５にはめ込んで固定する。次に、把持部８を持ち、ブラシ部１０をチャンネルチューブ６内に押し込む。
【００１９】
すると、線材部９の長手方向への進退に伴い、ヨリ線１２がハウジング１１に設けられた長円形状のガイド孔１７内を移動することになり、図７に示すように、ガイド孔１７のガイドによってヨリ線１２の巻回ピッチに合わせてブラシ部１０が回転する。すなわち、把持部８の進退運動は、ブラシ部１０においては回転を伴った進退運動に変換される。
【００２０】
このように把持部８を進退させるだけでブラシ部１０が回転するため、チャンネルチューブ６の内壁にブラシ部１０からの回転方向及び長手方向の力が加わり、汚物等を容易に落とすことができ、洗滌性が向上する。よって、小径のチャンネルの内壁であっても、容易にチャンネルチューブ６の内壁をくまなく洗滌することができる。
【００２１】
なお、前述した実施形態においては、ガイド孔１７を長円形状としたが、ヨリ線１２の回転を拘束する形状であればどんな形状でも良く、把持部８の進退運動をブラシ部１０において回転を伴った進退運動に変換することが可能である。
【００２２】
また、ヨリ線１２の縒り方向と、ハウジング１１とチャンネル開口部５の固定のための回転方向とは、ハウジング１１の緩み防止のため、逆方向であることが望ましい。
【００２３】
また、ヨリ線は２本の素線からなるものに限らず、３本以上の構成であってもかまわない。この場合、ヨリ線の断面形状に対応して、回転を規制可能なようにガイド孔の形状を形成すれば良い。
【００２４】
以上説明したように、本実施形態によれば、手元側操作部の長手方向の進退動作に伴って先端に設けたブラシ部が回転する構造を、極簡単な構造で実現可能である。これにより、小径チャンネルの内壁であっても容易にまんべんなく洗滌することができる。また、簡単な構造であるため、内視鏡用洗滌具を安価に提供することができる。
【００２５】
［付記］
（１）  先端に設けたブラシ部と、基端に設けた把持部と、これらの中間に設けたヨリ線状の線材部とを有し、内視鏡内の管路を洗滌する内視鏡用洗滌具において、
前記線材部を長手方向に進退可能に挿通し、前記内視鏡の管路開口部に対して固定する固定手段を有するハウジングを備え、このハウジングに前記線材部の回転を規制するガイド孔を設けたことを特徴とする内視鏡用洗滌具。
【００２６】
（２）  前記ガイド孔は、２本の素線で構成されるヨリ線の外周面に沿う形状の長円形状としたことを特徴とする付記１に記載の内視鏡用洗滌具。
【００２７】
【発明の効果】
以上説明したように本発明によれば、簡単な構造で、小径のチャンネル内壁においてもまんべんなく洗滌することが可能な内視鏡用洗滌具を提供できる効果がある。
【図面の簡単な説明】
【図１】内視鏡用洗滌具を使用する内視鏡の構成を示す平面図
【図２】本発明の実施形態に係る内視鏡用洗滌具の全体構成を示す斜視図
【図３】ブラシ部の構成及び形成手順を示す平面図
【図４】ブラシ部の構成及び形成手順を示す平面図
【図５】洗滌具手元側のハウジングの構成を示す長手軸方向断面図
【図６】ハウジングに設けられたガイド孔部分の構成を示す断面図（図５のＡ−Ａ線断面図）
【図７】内視鏡用洗滌具を内視鏡のチャンネル内に挿通した使用状態を示す説明図
【符号の説明】
１…内視鏡
２…挿入部
３…操作部
５…チャンネル開口部
６…チャンネルチューブ
７…内視鏡用洗滌具
８…把持部
９…線材部
１０…ブラシ部
１１…ハウジング
１２…ヨリ線
１３…ツマミ部
１４…ストッパ
１７…ガイド孔
【図１】
0003650182.tif 000002
【図２】
0003650182.tif 000003
【図３】
0003650182.tif 000004
【図４】
0003650182.tif 000005
【図５】
0003650182.tif 000006
【図６】
0003650182.tif 000007
【図７】
0003650182.tif 000008